(57)【特許請求の範囲】
【請求項１】
本放送とは別のデータ放送を利用し，本放送の番組の要約情報を配信する場合におけるデータ放送表示方法であって，
データ放送により配信されるデータは，本放送の各番組を識別するためのものであり，番組の放映時間帯に関する情報を含んだ番組情報と，放映時間帯を複数の時間帯に分割し，それぞれの時間帯に対応したデータ単位を分割数分集めたデータ単位の集まりとから少なくとも構成されており，データ単位は，対応する時間帯の番組内容の要約を示す要約情報と，対応する時間帯を示す要約時間帯情報とを少なくとも含んでおり，
本放送とデータ放送を受信し，両者を分離する第１のステップと，
前記第１のステップにより分離された本放送を表示する第２のステップと，
前記第１のステップにより分離されたデータ放送について，各番組ごとにデータ放送の番組情報を取得し，データ放送を蓄積手段に蓄積し，番組情報と蓄積手段への格納位置を示す格納情報とを各番組に対応づけてテーブルに記憶する第３のステップと，
視聴者が本放送の番組を視聴する度に，視聴した本放送の番組の視聴を開始した時間である視聴開始時間と視聴を終了した時間である視聴終了時間を示す視聴時間帯情報を時計手段により取得し，視聴した番組に対応づけて前記テーブルに記憶する第４のステップと，
本放送の終了後に，視聴者から要約情報の表示対象の番組を指定する情報を入力する第５のステップと，
前記テーブルから，前記第５のステップにより指定された番組に対応する番組の番組情報と視聴時間帯情報と蓄積手段への格納情報を取得し，これらの情報に基づき，データ放送のデータ単位列を前記蓄積手段から読み出し，読み出されたデータ単位列の中から視聴できなかった箇所のデータ単位を抽出する第６のステップと，
前記第６のステップにより抽出されたデータ単位について，データ単位の要約情報を順次表示する第７のステップと，
からなることを特徴とするデータ放送表示方法。
【請求項２】
本放送とは別のデータ放送を利用し，本放送の番組の要約情報を配信する場合におけるデータ放送表示方法であって，
データ放送により配信されるデータは，本放送の各番組を識別するためのものであり，番組の放映時間帯に関する情報を含んだ番組情報と，番組の内容を特徴付けるキー情報と，放映時間帯を複数の時間帯に分割し，それぞれの時間帯に対応したデータ単位を分割数分集めたデータ単位の集まりとから少なくとも構成されており，データ単位は，対応する時間帯の番組内容の要約を示す要約情報と，対応する時間帯を含む要約時間帯情報とを少なくとも含んでおり，
視聴者から，視聴したい本放送の番組に対する選択条件を指定する情報を入力する第１のステップと，
本放送とデータ放送を受信し，両者を分離する第２のステップと，
前記第２のステップにより分離された本放送を表示する第３のステップと，
前記第２のステップにより分離されたデータ放送のうち，データ放送のキー情報が前記第１のステップにより指定された選択条件を満足しているものを選択する第４のステップと，
前記第４のステップにより選択されたデータ放送について，各番組ごとにデータ放送の番組情報を取得し，データ放送を蓄積手段に蓄積し，番組情報と蓄積手段への格納位置を示す格納情報とを各番組に対応づけてテーブルに記憶する第５のステップと，
視聴者が本放送の番組を視聴する度に，視聴した本放送の番組の視聴を開始した時間である視聴開始時間と視聴を終了した時間である視聴終了時間を示す視聴時間帯情報を時計手段により取得し，視聴した番組に対応づけて前記テーブルに記憶する第６のステップと，
本放送の終了後に，視聴者から要約情報の表示対象の番組を指定する情報を入力する第７のステップと，
前記テーブルから，前記第７のステップにより指定された番組に対応する番組の番組情報と視聴時間帯情報と蓄積手段への格納情報を取得し，これらの情報に基づき，データ放送のデータ単位列を前記蓄積手段から読み出し，読み出されたデータ単位列の中から視聴できなかった箇所のデータ単位を抽出する第８のステップと，
前記第８のステップにより抽出されたデータ単位について，データ単位の要約情報を順次表示する第９のステップと，
からなることを特徴とするデータ放送表示方法。
【請求項３】
本放送とは別のデータ放送を利用し，本放送の番組の要約情報を配信する場合におけるデータ放送表示装置であって，
データ放送により配信されるデータが，本放送の各番組を識別するためのものであり，番組の放映時間帯に関する情報を含んだ番組情報と，放映時間帯を複数の時間帯に分割し，それぞれの時間帯に対応したデータ単位を分割数分集めたデータ単位の集まりとから少なくとも構成されており，データ単位は，対応する時間帯の番組内容の要約を示す要約情報と，対応する時間帯の開始時間と終了時間を含む要約時間帯情報とを少なくとも含んでいるデータ放送と，本放送とを受信する受信手段と，
前記受信手段により受信した本放送とデータ放送を分離する分離手段と，
本放送とデータ放送を表示する表示手段と，
データ放送を蓄積する蓄積手段と，
時計を計時する時計手段と，
制御手段とを備え，
前記制御手段は，
前記分離手段により分離されたデータ放送について，各番組ごとにデータ放送の番組情報を取得し，データ放送を前記蓄積手段に蓄積し，番組情報と前記蓄積手段への格納情報を各番組に対応づけてテーブルに記憶し，
視聴者が番組を視聴する度に，視聴した本放送の番組の視聴を開始した時間である視聴開始時間と視聴を終了した時間である視聴終了時間を示す視聴時間帯情報を前記時計手段から取得し，視聴した番組に対応づけて前記テーブルに記憶し，
本放送の終了後に，視聴者から要約情報の表示対象の番組を指定する情報を入力すると，
前記テーブルから，指定された番組に対応する番組の番組情報と視聴時間帯情報と前記蓄積手段への格納情報を取得し，これらの情報に基づき，データ放送のデータ単位列を前記蓄積手段から読み出し，読み出されたデータ単位列の中から視聴できなかった箇所のデータ単位を抽出し，
抽出したデータ単位について，データ単位の要約情報を前記表示手段に順次表示する
ことを特徴とするデータ放送表示装置。
【請求項４】
本放送とは別のデータ放送を利用し，本放送の番組の要約情報を配信する場合におけるデータ放送表示装置であって，
データ放送により配信されるデータが，本放送の各番組を識別するためのものであり，番組の放映時間帯に関する情報を含んだ番組情報と，番組の内容を特徴付けるキー情報と，放映時間帯を複数の時間帯に分割し，それぞれの時間帯に対応したデータ単位を分割数分集めたデータ単位の集まりとから少なくとも構成されており，データ単位は，対応する時間帯の番組内容の要約を示す要約情報と，対応する時間帯の開始時間と終了時間を含む要約時間帯情報とを少なくとも含んでいるデータ放送と，本放送とを受信する受信手段と，
前記受信手段により受信した本放送とデータ放送を分離する分離手段と，
本放送とデータ放送を表示する表示手段と，
データ放送を蓄積する蓄積手段と，
時計を計時する時計手段と，
視聴者から，視聴したい本放送の番組に対する選択条件を指定する情報を入力する入力手段と，
制御手段とを備え，
前記制御手段は，
前記分離手段により分離されたデータ放送について，データ放送のキー情報が選択条件を満足しているものを選択し，選択されたデータ放送について，各番組ごとにデータ放送の番組情報を取得し，データ放送を前記蓄積手段に蓄積し，番組情報と蓄積手段への格納情報を各番組に対応づけてテーブルに記憶し，
視聴者が番組を視聴する度に，視聴した本放送の番組の視聴を開始した時間である視聴開始時間と視聴を終了した時間である視聴終了時間を示す視聴時間帯情報を前記時計手段から取得し，視聴した番組に対応づけて前記テーブルに記憶し，
本放送の終了後に，視聴者が要約情報の表示対象の番組を指定すると，
前記テーブルから，指定された番組に対応する番組の番組情報と視聴時間帯情報と蓄積手段への格納情報を取得し，これらの情報に基づき，データ放送のデータ単位列を前記蓄積手段から読み出し，読み出されたデータ単位列の中から視聴できなかった箇所のデータ単位を抽出し，
抽出したデータ単位について，データ単位の要約情報を前記表示手段に順次表示する
ことを特徴とするデータ放送表示装置。
【発明の詳細な説明】
【０００１】
【発明の属する技術分野】
本発明は，本放送とは別のデータ放送を利用し，本放送の番組の要約情報を配信する場合における放送データの表示方法および装置に関する。
【０００２】
【従来の技術】
視聴者が本放送を視聴する場合，番組の途中から視聴したため，その前の内容が視聴できなかったり，視聴の途中で中座したため，番組の中間の内容や結末が視聴できなかったり，番組全体を視聴できなかったりすることがある。このような場合の対処方法としては，ビデオにより視聴したい番組を録画しておき，後で視聴する方法が一般的である。
【０００３】
【発明が解決しようとする課題】
しかしながら，ビデオ録画による方法では，番組の途中から視聴するような場合には，あらかじめビデオ録画の予約をしていればよいが，そうでなければ，視聴前の番組の内容を知ることができない。また，視聴の途中で中座するような場合には，その時点でビデオをセットする必要があり，番組全体を視聴できない場合には，ビデオ録画をしていない限り，番組の内容を知りえない。
【０００４】
さらに，上記の各場合において，ビデオ録画ができたときでも，番組の内容を把握するのにビデオの再生が必要であり，ビデオの再生には録画したのと同じだけ時間がかかるので，時間が割かれるという問題がある。また，ビデオに録画された部分を早送り再生で視聴する手段もあるが，番組の要点を抑えることは難しい。
【０００５】
本発明は，本放送とは別のデータ放送を利用し，データ放送により番組の要約情報を配信することにより，上記問題を解決するものであり，視聴者が見逃した番組の要約情報の視聴を可能にしたデータ放送の表示方法および装置を提供することを目的とする。
【０００６】
【課題を解決するための手段】
上記目的を達成するため，本発明は，番組の本放送とは別に，時間を分断し各時間帯の番組の要約をデータ放送として受信し，一方，視聴者の視聴時間帯を管理することで，視聴者が見逃した部分の番組要約を提示することを最も主要な特徴とする。詳しくは，以下のとおりである。
【０００７】
第１の本発明において，データ放送により配信されるデータは，本放送の各番組を識別するためのものであり，番組の放映時間帯に関する情報を含んだ番組情報と，放映時間帯を複数の時間帯に分割し，それぞれの時間帯に対応したデータ単位を分割数分集めたデータ単位の集まりとから少なくとも構成されており，データ単位は，対応する時間帯の番組内容の要約を示す要約情報と，対応する時間帯の開始時間と終了時間を示す要約時間帯情報とを少なくとも含んでいる。
【０００８】
本放送とデータ放送とを受信した場合，両者を分離し，分離された本放送を表示する。一方，分離されたデータ放送については，各番組ごとにデータ放送の番組情報を取得し，データ放送を蓄積手段に蓄積し，番組情報と蓄積手段への格納位置を示す格納情報とを各番組に対応づけてテーブルに記憶する。
【００１１】
特に発明では，視聴者が本放送の番組を視聴する度に，視聴した本放送の番組の視聴を開始した時間である視聴開始時間と視聴を終了した時間である視聴終了時間を示す視聴時間帯情報を時計手段により取得し，視聴した番組に対応づけてテーブルに記憶する。本放送の終了後に，視聴者が要約情報の表示対象の番組を指定すると，前記テーブルから，その番組の番組情報と視聴時間帯情報と蓄積手段への格納情報を取得し，これらの情報に基づき，データ放送のデータ単位列を蓄積手段から読み出し，読み出されたデータ単位列の中から視聴できなかった箇所のデータ単位を抽出する。抽出されたデータ単位について，データ単位の要約情報を順次表示する。
【００１２】
第２の発明において，データ放送により配信されるデータは，本放送の各番組を識別するためのものであり，番組の放映時間帯に関する情報を含んだ番組情報と，番組の内容を特徴付けるキー情報と，放映時間帯を複数の時間帯に分割し，それぞれの時間帯に対応したデータ単位を分割数分集めたデータ単位の集まりとから少なくとも構成されており，データ単位は，対応する時間帯の番組内容の要約を示す要約情報と，対応する時間帯の開始時間と終了時間を含む要約時間帯情報とを少なくとも含んでいる。
【００１３】
第２の発明では，視聴者が視聴したい本放送の番組に対する選択条件を指定する手段を持つ。本放送とデータ放送とを受信すると，両者を分離し，分離された本放送を表示する。一方，分離されたデータ放送のうち，データ放送のキー情報が視聴者から指定された選択条件を満足しているものを選択し，選択されたデータ放送について，各番組ごとにデータ放送の番組情報を取得し，データ放送を蓄積手段に蓄積し，番組情報と蓄積手段への格納位置を示す格納情報とを各番組に対応づけてテーブルに記憶する。
【００１６】
また，視聴者が本放送の番組を視聴する度に，視聴した本放送の番組の視聴を開始した時間である視聴開始時間と視聴を終了した時間である視聴終了時間を示す視聴時間帯情報を時計手段から取得し，視聴した番組に対応づけてテーブルに記憶する。本放送の終了後に，視聴者が要約情報の表示対象の番組を指定すると，指定された番組に対応する番組の番組情報と視聴時間帯情報と蓄積手段への格納情報を取得し，これらの情報に基づき，データ放送のデータ単位列を蓄積手段から読み出し，読み出されたデータ単位列の中から視聴できなかった箇所のデータ単位を抽出する。その抽出されたデータ単位について，データ単位の要約情報を順次表示する。
【００１７】
【発明の実施の形態】
〔第１の実施の形態〕
図１は，第１の実施の形態に係る装置構成を示すブロックであり，図２，図３は，図１の装置の動作フローを示すフローチャートである。図２は，本放送の番組の放映中に視聴を開始した場合に，視聴前の番組内容の要約情報を表示する場合の動作フローを示しており，図３は，既に放映がなされ，全く視聴できなかった場合や一部しか視聴できなかった場合に，視聴できなかった部分の要約情報を表示する場合の動作フローを示している。
ここで，図２に示す動作フローは，本発明に関連する技術の動作フローであり，図３に示す動作フローは，本発明の実施例の動作フローである。
【００１８】
以下，図１〜図３に従って本発明の第１の実施の形態を説明する。図１の１００は本放送とは別のデータ放送を本放送とともに地上波放送あるいは衛星放送により配信する放送局，１０１は本発明に係るデータ放送表示装置である。
【００１９】
放送局１００からデータ放送により配信されるデータは，図７（ａ）に示すように，本放送の番組ごとに，番組情報とデータ単位列（データ単位Ａ，データ単位Ｂ，…）から構成される。番組情報は，本放送の各番組と一対一に対応するものであり，例えば，本放送を放映するチャンネル番号，放映の開始時間，終了時間を示す放映時間帯から構成される。番組情報の構成例としては，Ｇコードのように，番組と一対一に対応したコード情報でもよく，この場合には，本装置において，コード情報をチャンネル番号と放映時間帯に変換すればよい。ただし，Ｇコードでは日付情報が必要となる。以下の説明では，番組情報は，チャンネル番号と放映時間帯により構成されているものとする。
【００２０】
データ単位列の各データ単位は，放映時間帯を複数の時間帯に分割し，分割されたそれぞれの時間帯に対応づけて構成されたものであり，その時間帯に放映される番組内容の要約を示す要約情報とその時間帯の開始時間，終了時間を含んだ要約時間帯情報から構成される。
【００２１】
上記において，放映時間帯と要約時間帯情報については，開始時間と時間長により構成することもできるが，開始時間と終了時間により構成した場合と実質的に同じであるため，以下の説明では，放映時間帯と要約時間帯情報は，開始時間と終了時間により構成されているものとする。また，図７（ａ）のデータ放送のデータ構成は，本発明を実施するのに最小限必要な構成例を示したものであり，他の情報が含まれていてもよい。
【００２２】
データ放送表示装置１００において，１０２は放送局から配信される放送電波を受信する受信手段，１０３は受信手段１０２により受信した放送電波から本放送とデータ放送とを分離する分離手段，１０４は視聴者からの各種情報を入力する入力手段，１１０は本放送とデータ放送を表示する表示手段，１１１はデータ放送を蓄積する蓄積手段，１１２は時計の計時を行う時計手段，１０５は制御手段である。
【００２３】
制御手段１０５は，本発明の中心である要約情報の処理を行う要約処理部１０６と，表示手段１１０に対する表示制御および蓄積手段１１１に対する蓄積制御を行う表示／蓄積制御部１０９からなる。
【００２４】
要約処理部１０６は，本放送の番組とその視聴状況などを管理するための視聴時間管理テーブル１０７と，視聴時間管理テーブル１０７に基づき，データ放送のデータ単位列から要約情報の表示対象となるデータ単位を抽出する処理を行う抽出部１０８からなる。
【００２５】
視聴時間管理テーブル１０７の具体的な構成例を図８に示す。視聴時間管理テーブル１０７は，図８に示すように，本放送の各番組に対応して，放送局１００から配信されるデータ放送に設定されている各番組と一対一に対応する番組情報（チャンネル番号，放映される放映時間帯である放映開始時間，放映終了時間により構成）と，視聴者が視聴を開始した時間である視聴開始時間と視聴を終了した時間である視聴終了時間とからなる視聴時間帯情報と，蓄積手段１１１への格納位置を示す格納情報により構成される。
【００２６】
視聴時間帯情報については，視聴開始時間と時間長により構成することもできるが，視聴開始時間と視聴終了時間により構成した場合と実質的に同じであるため，以下の説明では，視聴時間帯情報は視聴開始時間と視聴終了時間により構成されているものとする。
【００２７】
放送局１００から放送される本放送とデータ放送とが混在した放送電波は，データ放送表示装置１０１の受信手段１０２により受信される（図２の２０１，図３の３０１）。
【００２８】
受信手段１０２により受信された放送電波は，分離手段１０３により，本放送とデータ放送に分離される。本放送やデータ放送が符号化されている場合には，復号化される（図２の２０２，図３の３０２）。
【００２９】
分離手段１０３により分離された本放送とデータ放送は，それぞれ制御手段１０５に入力される。制御手段１０５では，本放送については表示／蓄積制御部１０９を介して表示手段１１０に表示する（図２の２０３，図３の３０３）。
【００３０】
データ放送については，要約処理部１０６により，放送局１００から配信されたデータ放送から各番組ごとに番組情報を取得し，データ放送のデータ単位列については，表示／蓄積制御部１０９を介して蓄積手段１１１に蓄積する。番組情報であるチャンネル番号，放映開始時間，放映終了時間と，蓄積手段１１１への格納位置を示す格納情報を，図８に示す視聴時間管理テーブル１０７の所定の位置に番組対応に格納する。蓄積手段１１１に対しては，図９の格納例に示すように，各データ単位の情報が各番組に対応づけて格納される（図２の２０４，図３の３０４）。
【００３１】
以上までの動作は，図２と図３で同じであるが，以後は別々に説明する。
【００３２】
まず，図２について説明する。視聴者が本放送の番組の視聴を開始するため，所望の番組に対するチャンネル番号を選択すると，制御手段１０５では，チャンネル番号の選択信号により，番組の視聴の開始を検知し，その時点の時間を時計手段１１２から取得し，視聴開始時間を得る。また，要約処理部１０６を起動し，選択されたチャンネル番号により，視聴時間管理テーブル１０７をサーチし，チャンネル番号が一致し，かつ放映時間帯が視聴開始時間を含むものが視聴を開始した番組であると判断し，その番組に対応する蓄積手段１１１への格納情報を視聴時間管理テーブル１０７から取得する（図２の２０５）。
【００３３】
視聴開始前の番組内容の要約情報の表示をするか否かについては，常時，表示するようにする方法，入力手段１０４からの視聴者の指示があったときに表示するようにする方法があり，いずれによってもよい。後者の方法では，視聴者の希望する場合にのみ要約情報の表示が行われるため，前者に比べ無駄が少ない（図２の２０６）。
【００３４】
制御手段１０５では，要約処理部１０６を起動し，抽出部１０８により，図２のステップ２０５において取得した視聴開始時間，蓄積手段１１１への格納情報に基づき，表示対象の要約情報の抽出を行う。具体的には，制御手段１０５では，蓄積手段１１１への格納情報により，表示／蓄積制御部１０９を介して，蓄積手段１１１から現在視聴中の本放送の番組に対するデータ放送のデータ単位列を読み出す。制御手段１０５は，要約処理部１０６を起動し，要約処理部１０６は，抽出部１０８により，読み出されたデータ単位列の各データ単位をサーチし，データ単位の要約時間帯情報が視聴開始時間より前のデータ単位を抽出する。視聴開始時間が要約時間帯情報の途中であるデータ単位については，要約情報の表示対象として抽出しない方法と，このようなデータ単位も含めて要約情報の表示対象として抽出する方法があり，いずれでもよい（図２の２０７）。
【００３５】
制御手段１０５では，抽出したデータ単位について，データ単位の要約情報を取得し，表示／蓄積制御部１０９を介して，本放送と同時に，あるいは単独で表示手段１１０に表示する。抽出されたデータ単位が複数の場合には，時間順に順次表示される（図２の２０８）。
【００３６】
以上説明したように，図２の動作フローでは，視聴時間管理テーブル１０７の視聴時間帯情報については使用する必要がなく，視聴時間管理テーブル１０７には視聴時間帯情報はなくてもよい。
【００３７】
以上述べた図２の動作フローに基づく実施の形態によれば，本放送の番組の放映中に視聴を開始した場合に，要約情報を表示することで視聴前の番組内容を短時間で知ることができる。
【００３８】
次に，図３の例について説明する。制御手段１０５では，上述の図２の場合と同様，本放送の番組の視聴の開始を，視聴者のチャンネル番号の選択により検知すると，その時点の時間を時計手段１１２から取得し，視聴開始時間を得る。また，要約処理部１０６を起動し，選択されたチャンネル番号により，視聴時間管理テーブル１０７をサーチし，チャンネル番号が一致し，かつ放映時間帯が視聴開始時間を含むものが視聴を開始した番組であると判断し，その番組に対応する視聴時間帯情報の視聴時間管理テーブル１０７上の格納位置情報を取得する。
【００３９】
さらに，本放送の番組の視聴の終了を，視聴者の他のチャンネル番号の選択や電源断などにより検知すると，その時点の時間を時計手段１１２から取得し，視聴終了時間を得る。上記により得られた視聴開始時間と視聴終了時間からなる視聴時間帯情報を，既に取得してある視聴時間管理テーブル１０７上の格納位置情報をもとに，視聴時間管理テーブル１０７に格納する。以上の動作は視聴者が本放送の番組を視聴する度に行われる（図３の３０５）。
【００４０】
視聴者が要約情報の表示を希望する番組を入力手段１０４を介して指定する。指定方法としては番組を一意に特定できる方法ならどのような方法でもよい。例えば，Ｇコードのように番組と一意に対応する符号により指定する方法，番組が放映されたチャンネル番号と放映された時間帯内の任意の時間を指定する方法などがある。
【００４１】
制御手段１０５では，指定された番組が視聴時間管理テーブル１０７内のどの番組に対応するかを求め，対応した番組に関する番組情報と視聴時間帯情報と蓄積手段１１１への格納情報を視聴時間管理テーブル１０７から取得する。
【００４２】
指定方法として，Ｇコードのように番組と一意に対応する符号を用いる場合には，符号から番組情報に変換する手段を制御手段１０５内に持っておき，入力手段１０４から入力された符号を変換手段により番組情報に変換し，この番組情報により視聴時間管理テーブル１０７をサーチし，番組情報が一致する番組の視聴時間帯情報と蓄積手段１１１への格納情報を取得する。
【００４３】
また，指定方法として，番組が放映されたチャンネル番号と放映された時間帯内の任意の時間により指定する場合には，チャンネル番号により，視聴時間管理テーブル１０７の番組情報をサーチし，チャンネル番号が一致し，かつ指定された時間が放映時間帯内にある番組情報を持つものが，指定された番組であるとし，その番組に対応する視聴時間帯情報と蓄積手段１１１への格納情報を視聴時間管理テーブル１０７から取得する。
【００４４】
制御手段１０５では，上記により得られた番組情報，視聴時間帯情報，蓄積手段１１１への格納情報に基づき，表示対象の要約情報の抽出を行う。具体的には，制御手段１０５では，まず，蓄積手段１１１への格納情報により，表示／蓄積制御部１０９を介して，蓄積手段１１１から指定された本放送の番組に対応するデータ放送のデータ単位列を読み出す。次に，番組情報の放映時間帯と視聴時間帯情報から，指定された番組が放映時間帯に視聴されているかを判定し，放映時間帯内に全く視聴されていない場合には，読み出されたデータ単位列全てを要約情報の表示対象として抽出する。
【００４５】
また，放映時間帯内の一部しか視聴されていない場合には，読み出されたデータ単位列の各データ単位をサーチし，データ単位の要約時間帯情報が視聴時間帯情報より前のデータ単位を抽出する。視聴時間帯情報が要約時間帯情報に重なるデータ単位については，要約情報の表示対象として抽出しない方法と，このようなデータ単位も含めて要約情報の表示対象として抽出する方法があり，いずれでもよい。なお，放映時間帯内の一部しか視聴されていない場合でも，全く視聴されていない場合と同様，指定された番組に対応する全てのデータ単位列を要約情報の表示対象として抽出してもよい。
【００４６】
上述の説明では，指定された番組が放映時間帯に視聴されているかの判定を蓄積手段１１１からのデータ放送のデータ単位列の読み出し後に行うものとして説明しているが，この順序は逆であってもよい（図３の３０７）。
【００４７】
制御手段１０５では，抽出したデータ単位について，データ単位の要約情報を取得し，表示／蓄積制御部１０９を介して，本放送と同時に，あるいは単独で，表示手段１１０に表示する。抽出されたデータ単位が複数の場合には，時間順に順次表示される（図３の３０８）。
【００４８】
以上述べた図３の動作フローに基づく実施の形態によれば，すでに放映がなされ，全く視聴できなかった番組や，一部しか視聴できなかった番組についても，視聴できなかった個所を短時間で把握することが可能となる。
【００４９】
〔第２の実施の形態〕
次に，第２の実施の形態を図４〜図６に従って説明する。上述した第１の実施の形態では，要約情報の表示対象の番組を制限しない場合について述べたが，以下に述べる第２の実施の形態では，要約情報の表示対象の番組を視聴者が選択できるようにしている。
【００５０】
図４は，第２の実施の形態に係る装置構成を示すブロック図であり，図５，図６は，図４の装置の動作フローを示すフローチャートである。図４において，図１と同じ構成要素については，同一の番号を付与している。図５は，第１の実施の形態の図２と同様，本放送の番組の放映中に視聴を開始した場合に，視聴前の番組内容の要約情報を表示する場合の動作フローを示しており，図６は，第１の実施の形態の図３と同様，放映された番組で視聴できなかった部分の要約情報を表示する場合の動作フローを示している。
ここで，図５に示す動作フローは，本発明に関連する技術の動作フローであり，図６に示す動作フローは，本発明の実施例の動作フローである。
【００５１】
放送局１００からデータ放送により配信されるデータは，図７（ｂ）に示すように，本放送の番組ごとに，番組情報とキー情報とデータ単位列により構成される。前述の実施の形態の場合（図７（ａ）の場合）とは，キー情報が追加されている点で異なるだけであり，他は同じである。キー情報は番組の内容を特徴付けるキーの集まりにより構成される。
【００５２】
視聴者は，視聴したい本放送の番組に対する選択条件を入力手段１０４を介して指定する。選択条件としては，検索キーを直接入力してもよく，検索キーをＡＮＤ条件，ＯＲ条件などの条件式により与えてもよい（図５の５０１，図６の６０１）。
【００５３】
放送局１００から放送される，本放送とデータ放送が混在した放送電波は，前述の図１〜図３で説明した実施の形態の場合と同様，データ放送表示装置１０１の受信手段１０２により受信され，分離手段１０３により本放送とデータ放送に分離される（図５の５０２，５０３，図６の６０２，６０３）。
【００５４】
分離手段１０３により分離された本放送とデータ放送は，それぞれ制御手段４０５に入力される。制御手段４０５では，本放送については表示／蓄積制御部１０９を介して表示手段１１０に表示する（図５の５０４，図６の６０４）。
【００５５】
データ放送については，選択部４１３により，各番組ごとのキー情報をチェックし，入力手段１０４により指定された選択条件に適合するかを判定し，適合する番組に対応するデータ放送のみを選択する。
【００５６】
各番組ごとのキー情報が指定された選択条件に適合するか否かの判定方法としては，選択条件を構成する検索キーとキー情報を構成するキーが同じものであるとして，キー情報を構成する各キーが選択条件を満足する場合に適合すると判定する方法，検索キーがキー情報のキーの一部である場合でも，検索キーとキー情報のキーが同じであるとし，キー情報を構成する各キーが選択条件を満足する場合に適合すると判定する方法などがあり，いずれの方法によってもよい（図５の５０５，図６の６０５）。
【００５７】
制御手段４０５では，選択部４１３により選択されたデータ放送に対して，要約情報の表示処理を行う。選択部４１３により選択された後のデータ放送に対する処理については，前述した第１の実施の形態における分離された後のデータ放送に対する処理と何ら異なるところがないため，説明を省略する。すなわち，図５の５０６〜５１０の各ステップは，図２の２０４〜２０８の各ステップと同じであり，図６の６０６〜６１０の各ステップは図３の３０４〜３０８の各ステップと同じである。
【００５８】
以上のべた第２の実施の形態によれば，第１の実施の形態の場合の利点に加え，要約情報の表示対象を視聴者が視聴したい番組に絞ることができるため，蓄積手段１１１に蓄積するデータ放送のデータ量を削減でき，蓄積手段１１１の記憶領域の有効利用が図れる。
【００５９】
【発明の効果】
本発明によれば，本放送の番組の視聴を開始したのが放映中の場合でも，視聴前の番組内容を要約情報により短時間で知ることができる。また，すでに放映がなされ，全く視聴できなかった番組や，一部しか視聴できなかった番組についても，視聴できなかった個所を短時間で把握することが可能となる。さらに，要約情報の表示対象を視聴者が視聴したい番組に絞ることができるため，蓄積手段に蓄積するデータ放送のデータ量を削減でき，蓄積手段のメモリの有効利用を図ることができる。
【図面の簡単な説明】
【図１】本発明の第１の実施の形態の構成を示すブロック図である。
【図２】本発明の第１の実施の形態の動作フローを示すフローチャートである。
【図３】本発明の第１の実施の形態の別の動作フローを示すフローチャートである。
【図４】本発明の第２の実施の形態の構成を示すブロック図である。
【図５】本発明の第２の実施の形態の動作フローを示すフローチャートである。
【図６】本発明の第２の実施の形態の別の動作フローを示すフローチャートである。
【図７】放送局から放送されるデータ放送のデータ構成例を示した図である。
【図８】視聴時間管理テーブルの構成例を示した図である。
【図９】蓄積手段への格納例を示した図である。
【符号の説明】
１００  放送局
１０１  データ放送表示装置
１０２  受信手段
１０３  分離手段
１０４  入力手段
１０５  制御手段
１０６  要約処理部
１０７  視聴時間管理テーブル
１０８  抽出部
１０９  表示／蓄積制御部
１１０  表示手段
１１１  蓄積手段
１１２  時計手段
４０５  制御手段
４１３  選択部
【図１】
0004008696.tif 000002
【図２】
0004008696.tif 000003
【図３】
0004008696.tif 000004
【図４】
0004008696.tif 000005
【図５】
0004008696.tif 000006
【図６】
0004008696.tif 000007
【図７】
0004008696.tif 000008
【図８】
0004008696.tif 000009
【図９】
0004008696.tif 000010